(57)【要約】      （修正有）【課題】発光ダイオードが設置される電光板の厚さと重さを最小化しながら、塗布されたシリコーンの表面張力によるチップ発光ダイオードの照射面を一部分隠して陰影を作ることを防止し、及び明るさを阻害することを防止した発光ダイオードを提供する。【解決手段】チップ発光ダイオードが設置されている台を印刷回路基板の前面に密着させて実装し、同時にこの台に胴体が円筒で先端が半球型の形状である透明キャップを設置して、内部のチップ発光ダイオードを保護するようにする。併せて、台の上に設置されている室外用発光ダイオードの両リード線を台の外側に折って露出されるように形成して、この露出したリード線の両末端に印刷回路基板の前面と直接密着されて実装される接合部を形成するようにする。【選択図】図１
2008277828.tif 000002
【特許請求の範囲】
【請求項１】
多数個の発光ダイオード１０が印刷回路基板１４の前面に設置されており、その外周面にはシリコーンが塗布されており、前記印刷回路基板１４の後面に位置した駆動モジュールによって前面に設置されている発光ダイオード１０が制御され、視覚的な情報を伝達可能な電光板に設置される発光ダイオードであって、
前記発光ダイオード１０は、胴体が円筒、先端が半球形の形状に製作された散乱性を有する透明キャップ１２によって、内部の発光ダイオードチップ１１を保護しており、前記透明キャップ１２とチップ台１３は、固定、一体で形成、あるいはかみ合って結合されており、前記チップ台１３が印刷回路基板の前面に実装されるように設置されていることを特徴とする電光板に設置される発光ダイオード。
【請求項２】
前記チップ台１３には多数個の発光ダイオードチップ１１が設置されていることを特徴とする請求項１に記載の電光板に設置される発光ダイオード。
【請求項３】
多数個の発光ダイオード１０が印刷回路基板１４の前面に設置されていて、その外周面にはシリコーンが塗布されており、前記印刷回路基板１４の後面に位置した駆動モジュールによって前面に設置されている発光ダイオード１０が制御されて視覚的な情報を伝達可能な電光板に設置される発光ダイオードであって、
前記発光ダイオード１０は、台２１の上に設置されている室外用発光ダイオードの両リード線２２を台２１の外側に折って露出されるように形成して、同時にこの露出したリード線２２の両末端に印刷回路基板１４の表面と直接密着されて実装される接合部２３を形成していることを特徴とする電光板に設置される発光ダイオード。
【発明の詳細な説明】
【技術分野】
【０００１】
本発明は、多数個の発光ダイオードが設置されて文字や記号などの視覚的な情報を伝達可能な電光板に関するものであり、さらに詳しくは、電光板の重さ及び厚さを最小化しながら塗布されたシリコーン層によって陰影が作られないようにした電光板の発光ダイオードに関するものである。
【背景技術】
【０００２】
一般に、電光板は開放された形態のケース内部に多数個の発光ダイオードをマトリックス(Matrix)形態で配列して、印刷回路基盤に設置した後、シリコーンで塗布して作られる。そして、このような印刷回路基板の後面には駆動モジュールが設置されて発光ダイオードの作動を制御する。
ここで、前記印刷回路基板の前面に設置される発光ダイオードは、室外の大型電光板に設置される室外用発光ダイオードと室内の小型電光板に設置されるチップ形状の室内用発光ダイオードがあるが、通常室外用発光ダイオードはリード線が印刷回路基板を貫いた後に後面でハンダ付けされるために、発光ダイオードと印刷回路基板との間の離れた隙間程度にシリコーンが塗布され全体の厚さが厚くなって、その厚さ程度におうじて重くなる。
また、室内用チップ発光ダイオードは、その大きさが小さな小型発光ダイオードであり、印刷回路基板の前面に直接実装されるために、外周面に塗布されたシリコーンの表面張力によってチップ発光ダイオードの照射面を一部分隠して陰影を作るか、あるいは明るさを阻害する問題点が生ずる。
【発明の開示】
【発明が解決しようとする課題】
【０００３】
本発明は前記のような問題点を解決するために案出されたものであり、発光ダイオードが設置される電光板の厚さと重さを最小化しながら、塗布されたシリコーンの表面張力によるチップ発光ダイオードの照射面を一部分隠して陰影を作ることを防止し、及び明るさを阻害することを防止した発光ダイオードを提供する。
【課題を解決するための手段】
【０００４】
本発明はチップ発光ダイオードが設置されている台を印刷回路基板の前面に密着させて実装し、同時にこの台に胴体が円筒で先端が半球型の形状である透明キャップを設置して、内部のチップ発光ダイオードを保護するようにしたことを特徴とするものである。併せて、本発明は台の上に設置されている室外用発光ダイオードの両リード線を台の外側に折って露出されるように形成して、この露出したリード線の両末端に印刷回路基板の前面と直接密着されて実装される接合部を形成するようにしたことを特徴とするものである。
【発明の効果】
【０００５】
本発明は、前記のように散乱性を有した半球型の透明なキャップ１２によって内部の発光体を保護する形態で製作して、同時にチップ台１３を前記印刷回路基板１４(ＰＣＢ：Printed Circuit Board)の表面に密着させて実装することで、印刷回路基板１４の表面に塗布されるシリコーン１５の厚さと重さを最小化することができるという特徴を有する。
また、本発明は、外周面に塗布されたシリコーンの表面張力によって発光ダイオードの前面照射面が一部分隠れて明るさを阻害する現象及び陰影が生ずる現象を防止してくれるという特徴を有する。
【発明を実施するための最良の形態】
【０００６】
以下、本発明の望ましい実施例に対して添付された図面を参照して詳しく説明する。なお、添付された図面を参照して本発明の望ましい実施例に対する動作原理を説明する場合に、係わる公知機能または構成に対する具体的な説明が本発明の要旨を不必要に曖昧になると判断される場合にはその詳細な説明を省略した。
【０００７】
図１は、本発明の実施例よって視覚的な情報を表出可能な電光板において、印刷回路基板に設置されている発光ダイオードの様子を拡大して示すものである。図１に示すように、本発明は多数個の発光ダイオード１０を通じて道路や競技場などに設置されて視覚的な情報を伝達可能な電光板１である。この電光板１の印刷回路基板１４には、一つあるいはそれ以上の発光ダイオードチップ１１が設置されているチップ台１３が実装されていて、後方には前記発光ダイオードチップ１１を作動可能な駆動モジュール２が設置されている。
印刷回路基板に実装されているチップ台は、散乱性を有する材質を持ち、胴体が円筒状であって、先端が半球形の形状である透明キャップ１２によって内部の発光ダイオードチップ１１が保護されるように構成されている。
前記透明キャップ１２は、胴体の内部が空隙である円筒の管型で形成されており、前記胴体の先端は前記胴体と一体で形成された半球型の覆いによって塞がっており、胴体がチップ台１３のわくを囲みながらかみ合って結合されるか、あるいは直接前記チップ台１３に固定されて、内部の発光ダイオードチップを保護する。
併せて、前記透明キャップ１２とチップ台１３は一体で形成されることもでき、別の実施例によって透明キャップ１２の形状を多様に形成し、チップ台１３に設置させて発光ダイオードチップ１１を保護することもできる。
また、前記チップ台１３は、チップ発光ダイオード１１と印刷回路基板１４を連結しながら電流が流れるようになっており、実施例によって多数個の発光ダイオードチップ１１を一つのチップ台１３に実装する場合、それぞれ個別的に駆動モジュールと連結されて動作されることができるようになっている。
すなわち、チップ台に実装されている多数個の発光ダイオードチップ１１が印刷回路基板１４の後面に設置されている駆動モジュール２によって制御されながら多様な色相の光で発光させることもできるだけではなく、狭いピッチの細密な情報もディスプレー可能なようにしたものである。
また、シリコーン層１５は印刷回路基板１４の前面に塗布され、チップ台１３と透明キャップ１２の外周面を囲んで密閉させることで、湿気やほこりなどの外部の汚染源が内部に侵入することを阻止し、前記駆動モジュール２や発光ダイオード１０等を安全に保護することができる。
図３と図４は、本発明の第２実施例よって電光板に設置される室外用発光ダイオードの斜視図と断面図であり、図３と図４に示すように、台２１上に設置されている室外用発光ダイオードの両リード線２２が台を貫いた後外側に折られて露出されるように形成されている。そして、このようなリード線の両末端には印刷回路基板の表面と直接密着され実装される接合部２３が形成されている。
したがって、接合部２３を通じて印刷回路基板の表面に容易に実装することができるし、後面には発光ダイオードの作動を制御する駆動モジュールが設置されて、図８に示す従来の電光板のように別途の第２印刷回路基板に駆動モジュールを設置する必要がなく、材料費を節減することができるという特徴がある。
【図面の簡単な説明】
【０００８】
【図１】本発明の実施例よって電光板に設置された発光ダイオードの斜視図である。
【図２】図１の発光ダイオードの後面斜視図である。
【図３】本発明の第２実施例の発光ダイオードの斜視図である。
【図４】本発明の第２実施例の発光ダイオードの断面図である。
【図５】従来の室内用電光板の正面図である。
【図６】図５の従来の室内用電光板の側面図である。
【図７】図５の電光板に設置されている室内用発光ダイオードの断面図である。
【図８】従来の室外用電光板の後面斜視図である。
【図９】図８の従来の室外用電光板の側面図である。
【図１０】図８の電光板に設置されている室外用発光ダイオードの断面図である。
【符号の説明】
【０００９】
１  電光板
２  駆動モジュール
１０  発光ダイオード
１１  発光チップ
１２  キャップ
１３  チップ台
１４  印刷回路基板
１５  シリコーン
２０  キャップ
２１  台
２２  リード線
２３  接合部
【図１】
2008277828.tif 000003
【図２】
2008277828.tif 000004
【図３】
2008277828.tif 000005
【図４】
2008277828.tif 000006
【図５】
2008277828.tif 000007
【図６】
2008277828.tif 000008
【図７】
2008277828.tif 000009
【図８】
2008277828.tif 000010
【図９】
2008277828.tif 000011
【図１０】
2008277828.tif 000012